(57)【特許請求の範囲】
【請求項１】
可撓性を有するソフトルアーであって、
胴体部と、
前記胴体部に対し前記ソフトルアーの進行方向後方に設けられ、前記胴体部と一体成形される端部と、
を備え、
前記端部は、その一部に光照射領域が設けられ、
前記ソフトルアーが水中を進行しているときに、前記端部が前記胴体部に対して変位し、前記端部の前記光照射領域が設けられた部分が特定の方向へ向くことと、前記端部の前記光照射領域が設けられていない部分が前記特定の方向へ向くこととが繰り返されることにより、前記特定の方向への光の照射と非照射とが繰り返され、前記端部から前記特定の方向へ照射される光の量の変化の程度が、前記胴体部から前記特定の方向へ照射される光の量の変化の程度よりも大きくなるように構成されている、
ソフトルアー。
【請求項２】
前記ソフトルアーの前記光照射領域以外の部分は、前記光照射領域と比較して照射する光の強度が低くなるように構成されている、
請求項１に記載のソフトルアー。
【請求項３】
前記端部は平面を有し、
前記光照射領域は、前記平面に設けられている、
請求項１又は２に記載のソフトルアー。
【請求項４】
前記平面は、前記進行方向に対して傾斜するように設けられている、
請求項３に記載のソフトルアー。
【請求項５】
前記平面は、前記進行方向に対して後ろ斜め上方を向くように設けられている、
請求項４に記載のソフトルアー。
【請求項６】
前記光照射領域は、前記平面の面積の１０％以上の面積を有する、
請求項３乃至５の何れかに記載のソフトルアー。
【請求項７】
前記光照射領域の全長は、前記ソフトルアーの全長の５％以上３０％以下である、
請求項１乃至６の何れかに記載のソフトルアー。
【請求項８】
前記胴体部と前記端部との連結部分は、前記胴体部の他の部分よりも断面積が小さくなるように構成されている、
請求項１乃至７の何れかに記載のソフトルアー。
【請求項９】
前記光照射領域は、外部から与えられた光を反射する光反射領域であり、
前記端部の前記光反射領域以外の部分は、前記光反射領域と比較して反射率が低くなるように構成されている、
請求項１乃至８の何れかに記載のソフトルアー。
【請求項１０】
前記端部に貼付された、表面に光沢を有するシート状の反射部材を備え、
前記光反射領域は、前記反射部材が貼付された領域である、
請求項９に記載のソフトルアー。
【請求項１１】
前記端部は、透光性を有する材料からなり、
前記端部に埋設された、表面に光沢を有するシート状の反射部材を備え、
前記光反射領域は、前記反射部材から最も近い距離の前記端部の表面の領域である、
請求項９に記載のソフトルアー。
【請求項１２】
前記反射部材は、前記端部に着脱可能である、
請求項１０又は１１に記載のソフトルアー。
【請求項１３】
前記光照射領域は、発光する発光領域であり、
前記端部の前記発光領域以外の部分は、発光しないように構成されている、
請求項１乃至８の何れかに記載のソフトルアー。
【請求項１４】
ソフトルアー本体と、ソフトルアー本体に取り付けるための光照射部材とを備えるソフトルアーキットであって、
前記ソフトルアー本体は、
胴体部と、
前記胴体部に対し前記ソフトルアーの進行方向後方に設けられ、前記胴体部と一体成形される端部と、
を具備し、
前記光照射部材は、前記端部の一部に取付可能であり、
前記ソフトルアー本体は、前記光照射部材と比較して照射する光の強度が低くなるように構成されており、
前記端部に前記光照射部材が取り付けられた前記ソフトルアーが水中を進行しているときに、前記端部が前記胴体部に対して変位し、前記端部の前記光照射領域が設けられた部分が特定の方向へ向くことと、前記端部の前記光照射領域が設けられていない部分が前記特定の方向へ向くこととが繰り返されることにより、前記特定の方向への光の照射と非照射とが繰り返され、前記端部から前記特定の方向へ照射される光の量の変化の程度が、前記胴体部から前記特定の方向へ照射される光の量の変化の程度よりも大きくなるように構成されている、
ソフトルアーキット。
【請求項１５】
大きさ、形状、及び色の少なくとも１つが互いに異なる複数の前記光照射部材を備え、
前記光照射部材のそれぞれは、前記端部に対して着脱可能に構成されている、
請求項１４に記載のソフトルアーキット。
【発明の詳細な説明】
【技術分野】
【０００１】
本発明は、釣りに用いられるソフトルアー及びソフトルアーキットに関する。
【背景技術】
【０００２】
魚を釣るための道具の１つとして、形、動き、及び色等を小魚等の餌に似せることで魚を誘うルアーが知られている。かかるルアーには、一部で光を反射させて魚に対してアピールし、集魚効果を高めるものがある。例えば、特許文献１には、ルアー本体の後端部に左右に振れる反射板を取り付けたルアーが開示されている。また、特許文献２には、軟質樹脂製の本体の側面及び端部に繊維の束を植設したルアーが開示されている。この特許文献２に記載のルアーでは、水中又は水面近くにおいて、側面及び端部に植設された繊維の束が揺れながら光を反射する。
【先行技術文献】
【特許文献】
【０００３】
【特許文献１】特開２０１１−９２１７２号公報
【特許文献２】実用新案登録第３０５７２２５号公報
【発明の概要】
【発明が解決しようとする課題】
【０００４】
特許文献１に記載のルアーは、反射板全体が光を反射するように構成されている。このため、反射板が左右に振れている場合であっても、反射板のいずれかの部位において光が反射されるため、反射光の変化が乏しい。また、特許文献２に記載のルアーは、ルアーのアクション等により各繊維が複雑に動くため各繊維の反射光は複雑に変化するが、繊維の束全体では反射光の変化が乏しい。このように、特許文献１及び２に記載されたルアーにあっては、反射光の変化が乏しく、魚に対して効果的にアピールすることができないという問題がある。
【０００５】
特許文献１に記載のルアーにおいては、ルアー本体の後端部に、反射板を取り付けるためのヒンジが設けられている。また、特許文献２に記載のルアーにおいては、軟質樹脂製の本体の側面及び端部に繊維の束が植設されている。このように、特許文献１及び２に記載されたルアーにあっては、複数の部品を結合する必要があり、部品点数が多く、部品同士を接続するために複雑な構造を必要とする。したがって、ルアーの製造工程が複雑であり、製造コストが嵩んでしまうという問題がある。
【０００６】
本発明は斯かる事情に鑑みてなされたものであり、その主たる目的は、上記課題を解決することができるソフトルアー及びソフトルアーキットを提供することにある。
【課題を解決するための手段】
【０００７】
上述した課題を解決するために、本発明の一の態様のソフトルアーは、可撓性を有するソフトルアーであって、胴体部と、前記胴体部に対し前記ソフトルアーの進行方向後方に設けられ、前記胴体部と一体成形される端部と、を備え、前記端部は、その一部に光照射領域が設けられ、前記ソフトルアーが水中を進行しているときに、前記端部が前記胴体部に対して変位し、前記端部の前記光照射領域が設けられた部分が特定の方向へ向くことと、前記端部の前記光照射領域が設けられていない部分が前記特定の方向へ向くこととが繰り返されることにより、前記特定の方向への光の照射と非照射とが繰り返され、前記端部から前記特定の方向へ照射される光の量の変化の程度が、前記胴体部から前記特定の方向へ照射される光の量の変化の程度よりも大きくなるように構成されている。
【０００８】
上記態様において、前記ソフトルアーの前記光照射領域以外の部分は、前記光照射領域と比較して照射する光の強度が低くなるように構成されていてもよい。
【０００９】
上記態様において、前記端部は平面を有し、前記光照射領域は、前記平面に設けられていてもよい。
【００１０】
上記態様において、前記平面は、前記進行方向に対して傾斜するように設けられていてもよい。
【００１１】
上記態様において、前記平面は、前記進行方向に対して後ろ斜め上方を向くように設けられていてもよい。
【００１２】
上記態様において、前記光照射領域は、前記平面の面積の１０％以上の面積を有していてもよい。
【００１３】
上記態様において、前記光照射領域の全長は、前記ソフトルアーの全長の５％以上３０％以下であってもよい。
【００１４】
上記態様において、前記胴体部と前記端部との連結部分は、前記胴体部の他の部分よりも断面積が小さくなるように構成されていてもよい。
【００１５】
上記態様において、前記光照射領域は、外部から与えられた光を反射する光反射領域であり、前記端部の前記光反射領域以外の部分は、前記光反射領域と比較して反射率が低くなるように構成されていてもよい。
【００１６】
上記態様において、前記ソフトルアーは、前記端部に貼付された、表面に光沢を有するシート状の反射部材を備え、前記光反射領域は、前記反射部材が貼付された領域であってもよい。
【００１７】
上記態様において、前記端部は、透光性を有する材料からなり、前記ソフトルアーは、前記端部に埋設された、表面に光沢を有するシート状の反射部材を備え、前記光反射領域は、前記反射部材から最も近い距離の前記端部の表面の領域であってもよい。
【００１８】
上記態様において、前記反射部材は、前記端部に着脱可能であってもよい。
【００１９】
上記態様において、前記光照射領域は、発光する発光領域であり、前記端部の前記発光領域以外の部分は、発光しないように構成されていてもよい。
【００２０】
また、本発明の一の態様のソフトルアーキットは、ソフトルアー本体と、ソフトルアー本体に取り付けるための光照射部材とを備えるソフトルアーキットであって、前記ソフトルアー本体は、胴体部と、前記胴体部に対し前記ソフトルアーの進行方向後方に設けられ、前記胴体部と一体成形される端部と、を具備し、前記光照射部材は、前記端部の一部に取付可能であり、前記ソフトルアー本体は、前記光照射部材と比較して照射する光の強度が低くなるように構成されており、前記端部に前記光照射部材が取り付けられた前記ソフトルアーが水中を進行しているときに、前記端部が前記胴体部に対して変位し、前記端部の前記光照射領域が設けられた部分が特定の方向へ向くことと、前記端部の前記光照射領域が設けられていない部分が前記特定の方向へ向くこととが繰り返されることにより、前記特定の方向への光の照射と非照射とが繰り返され、前記端部から前記特定の方向へ照射される光の量の変化の程度が、前記胴体部から前記特定の方向へ照射される光の量の変化の程度よりも大きくなるように構成されている。
【００２１】
上記態様において、前記ソフトルアーキットは、大きさ、形状、及び色の少なくとも１つが互いに異なる複数の前記光照射部材を備え、前記光照射部材のそれぞれは、前記端部に対して着脱可能に構成されていてもよい。
【発明の効果】
【００２２】
本発明に係るソフトルアー及びソフトルアーキットによれば、魚に対するアピール効果が高く、従来に比して製造コストを抑制することができる。
【図面の簡単な説明】
【００２３】
【図１】本発明の実施の形態１に係るルアーの構成を示す側面図。
【図２】本発明の実施の形態１に係るルアーの構成を示す平面図。
【図３】本発明の実施の形態１に係るルアーの構成を示す底面図。
【図４】本発明の実施の形態１に係るルアーの構成を示す正面図。
【図５】本発明の実施の形態１に係るルアーの構成を示す背面図。
【図６】本発明の実施の形態１に係るルアーの構成を示す斜視図。
【図７】本発明の実施の形態２に係るルアーの構成を示す側面図。
【図８】本発明の実施の形態２に係るルアーの構成を示す平面図。
【図９】本発明の実施の形態２に係るルアーの構成を示す底面図。
【図１０】本発明の実施の形態２に係るルアーの構成を示す斜視図。
【図１１】本発明の実施の形態３に係るルアーの構成を示す側面図。
【図１２】本発明の実施の形態３に係るルアーの構成を示す平面図。
【図１３】本発明の実施の形態３に係るルアーの構成を示す底面図。
【図１４】本発明の実施の形態３に係るルアーの構成を示す斜視図。
【図１５】本発明の実施の形態４に係るルアーの構成を示す側面図。
【図１６】本発明の実施の形態４に係るルアーの構成を示す平面図。
【図１７】本発明の実施の形態４に係るルアーの構成を示す底面図。
【図１８】本発明の実施の形態４に係るルアーの構成を示す斜視図。
【図１９】本発明の実施の形態５に係るルアーの構成を示す側面図。
【図２０】本発明の実施の形態５に係るルアーの構成を示す平面図。
【図２１】本発明の実施の形態５に係るルアーの構成を示す底面図。
【図２２】本発明の実施の形態５に係るルアーの構成を示す斜視図。
【図２３】本発明の実施の形態６に係るルアーの構成を示す側面図。
【図２４】本発明の実施の形態６に係るルアーの構成を示す平面図。
【図２５】本発明の実施の形態６に係るルアーの構成を示す底面図。
【図２６】本発明の実施の形態６に係るルアーの構成を示す斜視図。
【図２７】本発明の実施の形態７に係るルアーの構成を示す側面図。
【図２８】本発明の実施の形態７に係るルアーの構成を示す平面図。
【図２９】本発明の実施の形態７に係るルアーの構成を示す底面図。
【図３０】本発明の実施の形態７に係るルアーの構成を示す斜視図。
【図３１】本発明の実施の形態８に係るルアーの構成を示す側面図。
【図３２】本発明の実施の形態８に係るルアーの構成を示す平面図。
【図３３】本発明の実施の形態８に係るルアーの構成を示す底面図。
【図３４】本発明の実施の形態８に係るルアーの構成を示す背面図。
【図３５】本発明の実施の形態８に係るルアーの構成を示す斜視図。
【図３６】その他の実施の形態に係るルアーの構成を示す斜視図。
【発明を実施するための形態】
【００２４】
以下、本発明の好ましい実施の形態を、図面を参照しながら説明する。
【００２５】
（実施の形態１）
図１乃至６に、実施の形態１に係るルアー１の構成を示す。図１はルアー１の構成を示す側面図、図２はルアー１の構成を示す平面図、図３はルアー１の構成を示す底面図、図４はルアー１の構成を示す正面図、図５はルアー１の構成を示す背面図、図６はルアー１の構成を示す斜視図である。なお、図１中に示される矢印はルアー１の水中での進行方向を示している。以下では、この進行方向を「前方」、この進行方向とは逆方向を「後方」とする。また、前記進行方向と直交する方向を上下方向とする。
【００２６】
ルアー１は、ゴム弾性を有する合成樹脂等の軟質材料を主材とする全長が約７５ｍｍのソフトルアーである。また、ルアー１は、小魚を模したシャッドテール系と呼ばれる種類のルアーであり、胴体部１０１と、胴体部１０１に連結された後端部１０２とを有している。かかるルアー１は、軟質材料により胴体部１０１と後端部１０２とが一体成形されている。
【００２７】
胴体部１０１は、全長が約５０ｍｍであって、魚の胴体を模した形状を有している。この胴体部１０１の具体的な構成を以下に説明する。胴体部１０１の下側部分は、前後方向と直交する断面形状が頂点を下側とした放物線状をなしている。胴体部１０１の上端部分には、上方を向く平面である上面が設けられている。この上面は、平面視において、後方に向かうにしたがって徐々に細くなった形状を有している。かかる胴体部１０１は、側面視において、前側の約３分の１の部分が後方に向かうにしたがって徐々に太くなっており、後側の約３分の２の部分が後方に向かうにしたがって徐々に細くなった形状を有している。
【００２８】
後端部１０２は、全長が約２５ｍｍであって、魚の尾びれを模した形状を有している。この後端部１０２の具体的な構成を以下に説明する。後端部１０２は、側面視において、後方に向かうにしたがって広がった形状を有している。また、後端部１０２は、上面１０２ａ及び上面１０２ａの後側に繋がる斜面１０２ｂの２つの平面を有している。上面１０２ａは、その前側において胴体部１０１の上面の後端と滑らかに繋がっており、胴体部１０１の上面と同様に、上方を向く平面である。また、上面１０２ａは、平面視において、後方に向かうしたがって広がった形状をなしている。斜面１０２ｂは、その前側で上面１０２ａの後端と繋がる平面であって、後ろ斜め上方を向くように傾斜している。つまり、斜面１０２ｂは、後方に向かうにしたがって下がるように設けられている。この斜面１０２ｂは、楕円の長軸方向の片側の一部が欠落したような形状であって、長軸方向の長さが約１８ｍｍ、短軸方向の長さが約１０ｍｍである。また、この斜面１０２ｂは、欠落した側の端部において、上面１０２ａの後端と繋がっている。
【００２９】
斜面１０２ｂには、斜面１０２ｂの約８５％の面積の反射シートＲ１が貼り付けられている。この反射シートＲ１は、斜面１０２ｂと略同一の形状を有し、斜面１０２ｂよりも一回り小さい大きさであって、長軸方向の長さが約１７ｍｍ、短軸方向の長さが約９ｍｍである。この反射シートＲ１は、斜面１０２ｂの周縁が略均一な幅（約０．５ｍｍ）で露出するように斜面１０２ｂに貼り付けられる。また、この反射シートＲ１には、表面に光沢を有し、高い反射率を有するアルミ箔等のシート材料が用いられている。ここで、斜面１０２ｂの反射シートＲ１が貼り付けられた斜面１０２ｂの領域は、光を反射する光反射領域１０２ｃとされる。他方、後端部１０２の光反射領域１０２ｃ以外の部分には、反射シート等の光反射部材は設けられておらず、軟質材料がそのまま露出している。このため、後端部１０２の光反射領域１０２ｃ以外の部分は、光反射領域１０２ｃと比較して、反射率が大幅に低くなっている。
【００３０】
上述のように、胴体部１０１は後方に向かうにしたがって細くなった形状を有しており、後端部１０２は前方に向かうにしたがって細くなった形状を有している。また、後端部１０２は、その前側部分において胴体部１０１の後側部分と滑らかに連結されている。このため、ルアー１は、胴体部１０１と後端部１０２との連結部分において、細く絞られたような形状となっている。これにより、後端部１０２は、この連結部分を支点として、前後方向に直交する全方向に自由に動くことができる。したがって、ルアー１が水中で移動すると、後端部１０２は水流の影響を受け、胴体部１０１との連結部分を支点として様々な方向に振れながら動く。これにより、光反射領域１０２ｃが様々な方向を向くこととなり、様々な方向に対して光が反射される。その結果、ルアー１は、広い範囲の魚に対して光によるアピールをすることができ、集魚効果を高めることができる。
【００３１】
また、本実施の形態では、光反射領域１０２ｃは、後端部１０２の斜面１０２ｂにのみ設けられている。光反射領域１０２ｃが平坦な斜面１０２ｂに設けられているため、光反射領域１０２ｃに入射した光の全体が、実質的に同じ方向へ反射される。したがって、魚の方向へ光が反射された場合には、反射光全体が魚に照射されることになる。即ち、斜面１０２ｂが魚の方向に向いた場合は、当該魚には後端部１０２が光って見える。他方、斜面１０２ｂが魚とは別の方向を向いている場合は、後端部１０２の光反射領域１０２ｃ以外の部分が魚の方を向くことになり、殆ど魚に光が照射されることがない。即ち、かかる場合、魚には後端部１０２はほとんど光っていないように見える。ここで、後端部１０２は、上述のように、ルアー１の水中での移動に伴って様々な方向にランダムに振れながら動く。このため、魚からは明暗のはっきりした光の変化が視認されることになる。つまり、魚には、後端部１０２が不規則に明滅して見える。このことをさらに詳細に説明する。胴体部１０１は、実質的に釣り糸に直接連結されているため動きが小さく、しかも、光反射領域が設けられていないため殆ど光を照射しない。このため、胴体部１０１から特定の方向（多くの場合ルアー１の後方）にいる魚に対して照射される光の量の変化は小さい。他方、後端部１０２は、上述したように水流の影響により胴体部１０１との連結部分を支点として様々な方向に振れながら動き、しかも、光反射領域１０２ｃにおいて強度の高い光を照射する。このため、後端部１０２から特定の方向にいる魚に対して照射される光の量は時間に応じて大きく変化する。このような後端部１０２の不規則な明滅が魚を刺激し、集魚効果を高めることができる。
【００３２】
また、本実施の形態では、胴体部１０１と後端部１０２とが一体成形されている。このため、複数の部品を結合するような複雑な製造工程を必要とせず、容易にルアー１を製造することができる。また、ルアー１は、胴体部１０１と後端部１０２とが一体成形されているので、胴体部１０１と後端部１０２とが分離することによるルアー１の破損が抑制される。さらに、反射シートＲ１の剥離等が生じたとしても、斜面１０２ｂに反射シートＲ１を貼り付けることで、容易に修復することができる。
【００３３】
また、本実施の形態では、光反射領域１０２ｃが設けられた斜面１０２ｂは後ろ斜め上方を向く。このため、光反射領域１０２ｃは上方からの太陽又は常夜灯等の光を受けることができ、強度の高い光を反射することができる。また、斜面１０２ｂは後ろ斜め上方を向くため、光反射領域１０２ｃは後方に対して光を反射することができる。一般的に魚は後方よりルアーを捕食することから、後方へ光を照射することにより、後方の魚に対して効率的にアピールすることができ、より集魚効果を高めることができる。
【００３４】
釣り糸が巻き取られることによりルアー１がリトリーブされている間は、ルアー１は水底よりも上方の水中を実質的に水平方向に進行する。このようなルアー１のリトリーブが中断されると、ルアー１は自重により沈降する。このとき、ルアー１は胴体部１０１の前側に重心があるため、胴体部１０１が下側に、後端部１０２が上側に位置する姿勢となる。このため、斜面１０２ｂが上方を向くことになり、太陽又は常夜灯の光を受けやすくなる。一般的に、水平に進んでいたルアーが突然下方に沈降するときに、魚がルアーを捕食することが多い。本実施の形態に係るルアー１によれば、かかる魚の捕食の可能性が高い状態のときに、ルアー１の後方、即ち上方から追ってきた魚に対して光の照射及び非照射を繰り返すことで効率的に魚にアピールすることができ、より一層集魚効果を高めることができる。
【００３５】
（実施の形態２）
実施の形態２に係るルアーは、実施の形態１と同様にゴム弾性を有する合成樹脂等の軟質材料を主材とするソフトルアーである。図７乃至１０に、本実施の形態に係るルアー２の構成を示す。図７はルアー２の構成を示す側面図、図８はルアー２の構成を示す平面図、図９はルアー２の構成を示す底面図、図１０はルアー２の構成を示す斜視図である。ルアー２は、全長が約１００ｍｍのパドルテール系と呼ばれる種類のルアーであり、胴体部２０１と、胴体部２０１に連結された後端部２０２とを有している。
【００３６】
胴体部２０１は、全長が約７０ｍｍであって、ミミズ又はゴカイ等の環形動物を模した形状を有している。即ち、胴体部２０１には、複数の節が前後に並べて設けられている。かかる胴体部２０１の前後方向と直交する断面は円形をなしている。また、胴体部２０１は、その後端部分以外の部分では直径が略同一であるが、後端部分では後方に向かうにしたがって直径が小さくなっている。
【００３７】
後端部２０２は、カヌー等で用いられるパドルを模した形状を有している。後端部２０２は長径が約３０ｍｍ、短径が約２０ｍｍの楕円板であり、長軸が前後方向に延びるように胴体部２０１に連結されている。後端部２０２の周縁部は丸みを帯びた形状となっており、後端部２０２の前端部付近は、前方に向かうにしたがって幅が小さくなっている。また、後端部２０２の前端部付近は、前方に向かうにしたがって厚みが小さくなっている。即ち、後端部２０２の前端部付近は、前方に向かうにしたがって断面積が小さくなっている。
【００３８】
後端部２０２の上側の平面２０２ａには、この平面２０２ａの約８０％を覆うように反射シートＲ２が貼り付けられている。この反射シートＲ２は、後端部２０２と略同一の形状を有し、平面２０２ａよりも一回り小さい大きさであって、長径が約２８ｍｍ、短径が約１８ｍｍである。かかる反射シートＲ２は、平面２０２ａの周縁部が略均一な幅（約１ｍｍ）で露出するように、平面２０２ａに貼り付けられる。また、反射シートＲ２には、表面に光沢を有し、高い反射率を有するアルミ箔等のシート材料が用いられている。ここで、平面２０２ａの反射シートＲ２が貼り付けられた領域は、光を反射する光反射領域２０２ｂとされる。他方、後端部２０２の光反射領域２０２ｂ以外の部分には、反射シート等の光反射部材が設けられておらず、軟質材料がそのまま露出している。このため、後端部２０２の光反射領域２０２ｂ以外の部分は、光反射領域２０２ｂと比較して、反射率が大幅に低くなっている。
【００３９】
上述のように、胴体部２０１は後方に向かうにしたがって断面積が小さくなっており、後端部２０２は前方に向かうにしたがって断面積が小さくなっている。また、後端部２０２は、その前側部分において胴体部２０１の後側部分と滑らかに連結されている。即ち、ルアー２は、胴体部２０１と後端部２０２との連結部分において、細く絞られたような形状となっている。これにより、後端部２０２は、この連結部分を支点として、前後方向に直交する全方向に自由に動くことができる。したがって、ルアー２が水中で移動すると、後端部２０２は水流の影響を受け、胴体部２０１との連結部分を支点として様々な方向に振れながら動く。これにより、光反射領域２０２ｂが様々な方向を向くこととなり、様々な方向に対して光が反射される。その結果、ルアー２は、広い範囲の魚に対して光によるアピールをすることができ、集魚効果を高めることができる。
【００４０】
また、本実施の形態では、光反射領域２０２ｂは、後端部２０２の平面２０２ａにのみ設けられている。光反射領域２０２ｂが平坦な平面２０２ａに設けられているため、光反射領域２０２ｂに入射した光の全体が、実質的に同じ方向へ反射される。したがって、魚の方向へ光が反射された場合には、反射光全体が魚に照射されることになる。即ち、平面２０２ａが魚の方向に向いた場合は、光反射領域２０２ｂによって反射された光が魚へと照射され、当該魚に後端部２０２が光って見える。他方、平面２０２ａが魚とは別の方向を向いた場合は、後端部２０２の光反射領域２０２ｂ以外の部分が魚の方を向くことになり、殆ど魚に光が照射されることがない。即ち、かかる場合、当該魚には後端部２０２がほとんど光っていないように見える。ここで、後端部２０２は、上述のように、ルアー２の水中での移動に伴って様々な方向にランダムに振れながら動く。このため、魚には、後端部２０２が不規則に明滅して見える。このような後端部２０２の不規則な明滅が魚を刺激し、集魚効果を高めることができる。
【００４１】
また、本実施の形態では、実施の形態１のルアー１と同様に、胴体部２０１と後端部２０２とが一体成形されている。このため、複数の部品を結合するような複雑な製造工程を必要とせず、容易にルアー２を製造することができる。また、ルアー２は、胴体部２０１と後端部２０２とが一体成形されているので、胴体部２０１と後端部２０２とが分離することによるルアー２の破損が抑制される。さらに、反射シートＲ２の剥離等が生じたとしても、平面２０２ａに反射シートＲ２を貼り付けることで、容易に修復することができる。
【００４２】
釣り糸が巻き取られることによりルアー２がリトリーブされている間は、ルアー２は水底よりも上方の水中を実質的に水平方向に進行する。このようなルアー２のリトリーブが中断されると、ルアー２は自重により沈降する。このとき、ルアー２は胴体部２０１の前側に重心があるため、胴体部２０１が下側に、後端部２０２が上側に位置する姿勢となる。ここで後端部２０２が波打つように動くと、平面２０２ａが上方を向いたり、上方以外の方向を向いたりすることになる。平面２０２ａが上方を向くと、光反射領域２０２ｂが太陽又は常夜灯の光を受けやすくなる。一般的に、水平に進んでいたルアーが突然下方に沈降するときに、魚がルアーを捕食することが多い。本実施の形態に係るルアー２によれば、かかる魚の捕食の可能性が高い状態のときに、ルアー２の後方、即ち上方から追ってきた魚に対して光の照射及び非照射を繰り返すことで効率的に魚にアピールすることができ、より一層集魚効果を高めることができる。
【００４３】
（実施の形態３）
実施の形態３に係るルアーは、上記の各実施の形態と同様にゴム弾性を有する合成樹脂等の軟質材料を主材とする。図１１乃至１４に、本実施の形態に係るルアー３の構成を示す。図１１はルアー３の構成を示す側面図、図１２はルアー３の構成を示す平面図、図１３はルアー３の構成を示す底面図、図１４はルアー３の構成を示す斜視図である。ルアー３は、全長が約８０ｍｍの小魚を模した形状を有するダート系と呼ばれる種類のルアーであり、胴体部３０１と、胴体部３０１に連結された後端部３０２とを有している。
【００４４】
胴体部３０１は、全長が約７０ｍｍであって、魚の胴体を模した形状を有している。胴体部３０１の前後方向と直交する断面は、上側に１つの頂点を有し、下側に２つの頂点を有する概略二等辺三角形状をなしている。胴体部３０１の下面は、前後方向に平行な平面となっている。この下面は、平面視において、前側の約２分の１の範囲では略一定の幅となっており、後側の約２分の１の範囲では、後方に向かうにしたがって徐々に幅が小さくなっている。かかる胴体部３０１の前側の約４分の１の部分においては、後方に向かうにしたがって高さが増しており、胴体部３０１の後側の約４分の３の部分においては、後方に向かうにしたがって高さが減少している。
【００４５】
後端部３０２は、全長が約１５ｍｍであって、魚の尾を模した形状を有している。後端部３０２は、後方に向かうにしたがって高さが小さくなっている。また、後端部３０２は、下面３０２ａ及び斜面３０２ｂの２つの平面を有している。下面３０２ａは、その前側において胴体部３０１の下面の後端と繋がっており、胴体部３０１の下面と同様に、前後方向と平行な平面である。また、下面３０２ａは、後方に向かうにしたがってやや広がっている。一方、後端部３０２の上端の稜線は、胴体部３０１の上端の稜線と滑らかに接続されており、後方に向かうにしたがって高さが小さくなっている。当該後端部３０２の稜線の後方には、斜面３０２ｂが設けられている。斜面３０２ｂは、その後端において下面３０２ａの後端と繋がっており、後ろ斜め上方を向くように傾斜している。かかる斜面３０２ｂは、前期稜線の後端点を頂点とする二等辺三角形をなしている。斜面３０２ｂの大きさは、高さが約１５ｍｍ、底辺が約１０ｍｍである。
【００４６】
胴体部３０１と後端部３０２とは、ルアー３の下面の幅が最も細くなっている箇所において連結されている。即ち、胴体部３０１の下面は、後方に向かうにしたがって幅が小さくなっており、後端において最も幅が小さくなっている。他方、後端部３０２の下面３０２ａは、前方に向かうにしたがって幅が小さくなっており、前端において最も幅が小さくなっている。
【００４７】
斜面３０２ｂには、斜面３０２ｂの約９５％を覆うように反射シートＲ３が貼り付けられている。この反射シートＲ３は、斜面３０２ｂと略同一の形状を有し、斜面３０２ｂよりも一回り小さい大きさであって、高さが約１４．８ｍｍ、底辺が約９．８ｍｍの二等辺三角形をなしている。この反射シートＲ３は、斜面３０２ｂの周縁が略均一な幅（約０．１ｍｍ）で露出するように、斜面３０２ｂに貼り付けられる。また、この反射シートＲ３には、表面に光沢を有し、高い反射率を有するアルミ箔等のシート材料が用いられている。ここで、斜面３０２ｂの反射シートＲ３が貼り付けられた領域は、光を反射する光反射領域３０２ｃとされる。他方、後端部３０２の光反射領域３０２ｃ以外の部分には、反射シート等の光反射部材は設けられておらず、軟質材料がそのまま露出している。このため、後端部３０２の光反射領域３０２ｃ以外の部分は、光反射領域３０２ｃと比較して、反射率が大幅に低くなっている。
【００４８】
上述のように、胴体部３０１と後端部３０２とは、ルアー３の下面の幅が最も小さい箇所において連結されている。また、ルアー３は、全体として後方に向かうにしたがって断面積が小さくなっており、胴体部３０１における断面積よりも、後端部３０２における断面積の方が小さくなっている。このように断面積が小さい箇所の方が、断面積が大きい箇所よりも小さい力で変形することから、ルアー３は、水中で後端部３０２ｂが上下左右に揺動することとなる。これにより、光反射領域３０２ｃが様々な方向を向くこととなり、様々な方向に対して光が反射される。その結果、ルアー３は、広い範囲の魚に対して光によるアピールをすることができ、集魚効果を高めることができる。
【００４９】
また、本実施の形態では、光反射領域３０２ｃは、後端部３０２の斜面３０２ｂにのみ設けられている。このため、斜面３０２ｂが魚の方向に向いた場合は、光反射領域３０２ｃによって反射された光が魚へと照射され、当該魚には後端部３０２が光って見える。他方、斜面３０２ｂが魚とは別の方向を向いた場合は、後端部３０２の光反射領域３０２ｃ以外の部分が魚の方を向くことになり、当該魚には後端部３０２がほとんど光っていないように見える。ここで、後端部３０２は、上述のように、ルアー３の水中での移動に伴って様々な方向にランダムに振れながら動く。このため、魚には、後端部３０２が不規則に明滅して見える。このような後端部３０２の不規則な明滅が魚を刺激し、集魚効果を高めることができる。
【００５０】
また、本実施の形態では、実施の形態１のルアー１と同様に、胴体部３０１と後端部３０２とが一体成形されている。このため、複数の部品を結合するような複雑な製造工程を必要とせず、容易にルアー３を製造することができる。また、ルアー３は、胴体部３０１と後端部３０２とが一体成形されているので、胴体部３０１と後端部３０２とが分離することによるルアー３の破損が抑制される。さらに、反射シートＲ３の剥離等が生じたとしても、平面３０２ｂに反射シートＲ３を貼り付けることで、容易に修復することができる。
【００５１】
また、本実施の形態では、光反射領域３０２ｃが後ろ斜め上方を向く。このため、光反射領域３０２ｃは上方からの太陽又は常夜灯等の光を受けることができ、強度の高い光を反射することができる。また、光反射領域３０２ｃが後ろ斜め上方を向くため、光反射領域３０２ｃは後方に対して光を反射することができる。このため、後方の魚に対して効率的にアピールすることができ、より集魚効果を高めることができる。
【００５２】
また、実施の形態１と同様に、ルアー３のリトリーブが中断された場合に、ルアー３は自重により後端部３０２を上側にして沈降する。したがって、斜面３０２ｂが上側を向くことになり、光反射領域３０２ｃが太陽又は常夜灯の光を受けやすくなる。そのため、魚の捕食の可能性が高い状態のときに、ルアー３の後方、即ち上方から追ってきた魚に対して光の照射及び非照射を繰り返すことで効率的に魚にアピールすることができ、より一層集魚効果を高めることができる。
【００５３】
（実施の形態４）
実施の形態４に係るルアーは、上記の各実施の形態と同様にゴム弾性を有する合成樹脂等の軟質材料を主材とするソフトルアーである。本実施の形態に係るルアーは、カーリーテール系と呼ばれる種類のルアーである。図１５乃至１８に、本実施の形態に係るルアー４の構成を示す。図１５はルアー４の構成を示す側面図、図１６はルアー４の構成を示す平面図、図１７はルアー４の構成を示す底面図、図１８はルアー４の構成を示す斜視図である。ルアー４は、全長が約１００ｍｍであり、胴体部４０１と、胴体部４０１に連結された後端部４０２とを有している。
【００５４】
胴体部４０１は、全長が約７０ｍｍであって、ミミズ又はゴカイ等の環形動物を模した形状を有している。即ち、胴体部４０１には、中央部分を除く前後両側において、複数の節が前後に並べて設けられている。かかる胴体部４０１の前後方向と直交する断面は円形をなしている。また、胴体部４０１は、前端から後方へ約３０ｍｍの範囲では直径が略同一であるが、それよりも後側では、後方に向かうにしたがって直径が小さくなっている。
【００５５】
後端部４０２は、平面視において渦巻状をなす平板である。かかる後端部４０２は、前後方向の長さが約３０ｍｍ、左右方向の長さが約４０ｍｍである。後端部４０２は、渦の最も外側の部分において胴体部４０１と連結されており、渦の中心に向かうにしたがって幅が小さくなっている。
【００５６】
後端部４０２の上側の平面４０２ａの渦の先端部分には、当該平面４０２ａの約１０％の面積の反射シートＲ４が貼り付けられている。また、この反射シートＲ４は、平面４０２ａの渦の先端部分の形状と略同一の形状を有し、前記先端部分よりも一回り小さい大きさ（全長約１０ｍｍ）である。かかる反射シートＲ４は、平面４０２ａの先端部分に、周縁部が略均一な幅（約０．１ｍｍ）で露出するように貼り付けられている。また、反射シートＲ４には、表面に光沢を有し、高い反射率を有するアルミ箔等のシート材料が用いられている。ここで、平面４０２ａの反射シートＲ４が貼り付けられた領域は、光を反射する光反射領域４０２ｂとされる。他方、後端部４０２の光反射領域４０２ｂ以外の部分には、反射シート等の光反射部材が設けられておらず、軟質材料がそのまま露出している。このため、後端部４０２の光反射領域４０２ｂ以外の部分は、光反射領域４０２ｂと比較して、反射率が大幅に低くなっている。
【００５７】
上述のように、胴体部４０１は後方に向かうにしたがって断面積が小さくなっている。また、後端部４０２は、渦の外側の基端部分において胴体部４０１の後側部分と滑らかに連結されている。即ち、ルアー４は、胴体部４０１の最も細い部分において胴体部４０１と後端部４０２とが連結されている。また、後端部４０２は、胴体部４０１に比べて非常に薄い板状であり、胴体部４０１に比べて小さな力でも変形可能である。したがって、ルアー４が水中で移動すると、後端部４０２は水流の影響を受け、様々な方向に振れながら動く。これにより、光反射領域４０２ｂが様々な方向を向くこととなり、様々な方向に対して光が反射される。その結果、ルアー４は、広い範囲の魚に対して光によるアピールをすることができ、集魚効果を高めることができる。
【００５８】
また、本実施の形態では、光反射領域４０２ｂは、後端部４０２の平面４０２ａの一部にのみ設けられている。このため、光反射領域４０２ｂが魚の方向に向いた場合は、光反射領域４０２ｂによって反射された光が魚へと照射され、当該魚に後端部４０２が光って見える。他方、光反射領域４０２ｂが魚とは別の方向を向いている場合は、後端部４０２の光反射領域４０２ｂ以外の部分が魚の方を向くことになり、当該魚には後端部４０２がほとんど光っていないように見える。ここで、後端部４０２は、上述のように、ルアー４の水中での移動に伴って様々な方向にランダムに振れながら動く。このため、魚には、後端部４０２が不規則に明滅して見える。このような後端部４０２の不規則な明滅が魚を刺激し、集魚効果を高めることができる。
【００５９】
また、本実施の形態では、実施の形態１のルアー１と同様に、胴体部４０１と後端部４０２とが一体成形されている。このため、複数の部品を結合するような複雑な製造工程を必要とせず、容易にルアー４を製造することができる。また、ルアー４は、胴体部４０１と後端部４０２とが一体成形されているので、胴体部４０１と後端部４０２とが分離することによるルアー４の破損が抑制される。さらに、反射シートＲ４の剥離等が生じたとしても、平面４０２ａに反射シートＲ４を貼り付けることで、容易に修復することができる。
【００６０】
また、実施の形態２と同様に、ルアー４のリトリーブが中断された場合に、ルアー４は自重により後端部４０２を上側にして沈降する。このとき、後端部４０２が波打つように動くことにより、平面４０２ａが上方を向くと、光反射領域４０２ｂが太陽又は常夜灯の光を受けやすくなる。そのため、魚の捕食の可能性が高い状態のときに、ルアー４の後方、即ち上方から追ってきた魚に対して光の照射及び非照射を繰り返すことで効率的に魚にアピールすることができ、より一層集魚効果を高めることができる。
【００６１】
（実施の形態５）
実施の形態５に係るルアーは、上記の各実施の形態と同様にゴム弾性を有する合成樹脂等の軟質材料を主材とするソフトルアーである。本実施の形態に係るルアーは、クロー系と呼ばれる種類のルアーである。図１９乃至２２に、本実施の形態に係るルアー５の構成を示す。図１９はルアー５の構成を示す側面図、図２０はルアー５の構成を示す平面図、図２１はルアー５の構成を示す底面図、図２２はルアー５の構成を示す斜視図である。ルアー５は、全長が約８５ｍｍであり、ザリガニ又はエビ等の甲殻類エビ目に属する生物を模した形状を有するルアーであり、胴体部５０１と、胴体部５０１に連結された２つの後端部５０２，５０３とを有している。
【００６２】
胴体部５０１は、全長が約５０ｍｍであって、ザリガニ等の腹部及び頭胸部を模した形状を有している。また、胴体部５０１の前側の約３分の２の部分は、ザリガニ等の腹部を模した形状を有しており、断面形状が楕円形の棒状をなしている。胴体部５０１の後側の約３分の１の部分は、ザリガニ等の頭胸部を模した形状を有しており、触覚等が設けられている。
【００６３】
後端部５０２，５０３は、全長が約５０ｍｍであって、ザリガニ等の鋏脚を模した形状を有している。さらに詳しく説明すると、後端部５０２，５０３は平板状をなしており、平面視においてザリガニ等の鋏を模した略Ｕ字状の形状を有する後側部分５０２ａ，５０３ａと、同じくザリガニ等の鋏と胴体を繋ぐ腕節を模した形状を有する前側部分５０２ｂ，５０３ｂとを具備する。ここで、前側部分５０２ｂ，５０３ｂの全長は約２０ｍｍであり、後側部分５０２ａ，５０３ａの全長は約３０ｍｍである。また、前側部分５０２ｂ，５０３ｂの幅は約５ｍｍ、後側部分５０２ａ，５０３ａの幅は約２０ｍｍである。即ち、胴体部５０１と連結される前側部分５０２ｂ，５０３ｂの幅は、先端部分である後側部分５０２ａ，５０３ａの幅よりも小さくなっている。
【００６４】
後端部５０２，５０３の後側部分５０２ａ，５０３ａの上側の平面５０２ｃ，５０３ｃには、この平面５０２ｃ，５０３ｃの約６０％を覆うように反射シートＲ５１，Ｒ５２が貼り付けられている。反射シートＲ５１，Ｒ５２は、平面５０２ｃ，５０３ｃの形状と類似した形状であり、全長が約２０ｍｍ、全幅が約１５ｍｍの略Ｕ字状をなしている。即ち、反射シートＲ５１，Ｒ５２は、平面５０２ｃ，５０３ｃよりも若干小さく、ルアー５の全長に対して約２３％の長さを有している。かかる反射シートＲ５１，Ｒ５２は、平面５０２ｃ，５０３ｃの略中央にそれぞれ貼り付けられる。また、この反射シートＲ５１，Ｒ５２には、表面に光沢を有し、高い反射率を有するアルミ箔等のシート材料が用いられている。ここで、平面５０２ｃ，５０３ｃの反射シートＲ５１，Ｒ５２が貼り付けられた領域は、光を反射する光反射領域５０２ｄ，５０３ｄとされる。他方、後端部５０２，５０３の光反射領域５０２ｄ，５０３ｄ以外の部分には、反射シート等の光反射部材は設けられておらず、軟質材料がそのまま露出している。このため、後端部５０２，５０３の光反射領域５０２ｄ，５０３ｄ以外の部分は、光反射領域５０２ｄ，５０３ｄと比較して、反射率が大幅に低くなっている。
【００６５】
ここで、後端部５０２は、その前側部分５０２ｂにおいて、胴体部５０１の進行方向へ向かって右側の側面に滑らかに連結されている。また、後端部５０３は、その前側部分５０３ｂにおいて、胴体部５０１の進行方向へ向かって左側の側面に滑らかに連結されている。ここで、後端部５０２，５０３の前側部分５０２ｂ，５０３ｂは、上述のように、後側部分５０２ａ，５０３ａと比較して幅が小さくなっている。このため、後端部５０２，５０３は、前側部分５０２ｂ，５０３ｂにおいて容易に屈曲し、様々な方向に自由に動くことができる。また、後端部５０２，５０３は、胴体部５０１に比べて非常に薄い板状であり、胴体部５０１に比べて小さな力でも変形可能である。したがって、ルアー５が水中で移動すると、後端部５０２，５０３は水流の影響を受け、様々な方向に振れながら動く。これにより、光反射領域５０２ｄ，５０３ｄが様々な方向を向くこととなり、様々な方向に対して光が反射される。その結果、ルアー５は、広い範囲の魚に対して光によるアピールをすることができ、集魚効果を高めることができる。
【００６６】
また、本実施の形態では、光反射領域５０２ｄ，５０３ｄは、後端部５０２，５０３の平面５０２ｃ，５０３ｃにのみ設けられている。このため、光反射領域５０２ｄ，５０３ｄが魚の方向に向いた場合は、光反射領域５０２ｄ，５０３ｄによって反射された光が魚へと照射され、当該魚に後端部５０２，５０３が光って見える。他方、光反射領域５０２ｄ，５０３ｄが魚とは別の方向を向いている場合は、後端部５０２の光反射領域５０２ｄ，５０３ｄ以外の部分が魚の方に向くことになり、当該魚には後端部５０２，５０３がほとんど光っていないように見える。ここで、後端部５０２，５０３は、上述のように、ルアー５の水中での移動に伴って様々な方向にランダムに振れながら動く。このため、魚には、後端部５０２，５０３が不規則に明滅して見える。このような後端部５０２，５０３の不規則な明滅が魚を刺激し、集魚効果を高めることができる。
【００６７】
また、本実施の形態では、ルアー５は、後端部５０２，５０３に個別に光反射領域５０２ｄ，５０３ｄが設けられており、後端部５０２，５０３は個別に自由に動くことができる。このため、上述のような明滅が、後端部５０２，５０３のそれぞれにおいて個別に生じる。したがって、ルアー５は、魚に対してより強くアピールすることができ、集魚効果を高めることができる。
【００６８】
また、本実施の形態では、実施の形態１のルアー１と同様に、胴体部５０１と後端部５０２，５０３とが一体成形されている。このため、複数の部品を結合するような複雑な製造工程を必要とせず、容易にルアー５を製造することができる。また、ルアー５は、胴体部５０１と後端部５０２，５０３とが一体成形されているので、胴体部５０１と後端部５０２，５０３とが分離することによるルアー５の破損が抑制される。さらに、反射シートＲ５１，Ｒ５２の剥離等が生じたとしても、平面５０２ｃ，５０３ｃに反射シートＲ５１，Ｒ５２を貼り付けることで、容易に修復することができる。
【００６９】
また、実施の形態２と同様に、ルアー５のリトリーブが中断された場合に、ルアー５は自重により後端部５０２，５０３を上側にして沈降する。このとき、後端部５０２，５０３が波打つように動くことにより、平面５０２ｃ，５０３ｃが上方を向くと、光反射領域５０２ｄ，５０３ｄが太陽又は常夜灯の光を受けやすくなる。そのため、魚の捕食の可能性が高い状態のときに、ルアー５の後方、即ち上方から追ってきた魚に対して光の照射及び非照射を繰り返すことで効率的に魚にアピールすることができ、より一層集魚効果を高めることができる。
【００７０】
（実施の形態６）
実施の形態６に係るルアーは、上記の各実施の形態と同様にゴム弾性を有する合成樹脂等の軟質材料を主材とするソフトルアーである。本実施の形態に係るルアーは、リザード系と呼ばれる種類のルアーである。図２３乃至２６に、本実施の形態に係るルアー６の構成を示す。図２３はルアー６の構成を示す側面図、図２４はルアー６の構成を示す平面図、図２５はルアー６の構成を示す底面図、図２６はルアー６の構成を示す斜視図である。ルアー６は、全長が約１５０ｍｍであり、ヤモリ又はトカゲ等の小動物を模した形状を有するルアーであり、胴体部６０１と、胴体部６０１に連結された後端部６０２と、胴体部６０１の側面に連結された４つの脚部６０３，６０４，６０５，６０６とを有している。
【００７１】
胴体部６０１は、全長が約１００ｍｍであって、ヤモリ又はトカゲ等の小動物の頭部及び胴部を模した形状を有している。４つの脚部６０３〜６０６のうち、２つの脚部６０３，６０５は、小動物の前脚に相当し、胴体部６０１の前側部分の両側面に連結されている。他の２つの脚部脚部６０４，６０６は、小動物の後脚に相当し、胴体部６０１の後側部分の両側面に連結されている。胴体部６０１の腹部を模した部分は、断面形状が楕円形であり、頭部から前後方向の中央部分までの範囲において厚くなっており、前後方向中央から後方に向かうにしたがって厚みが小さくなっている。
【００７２】
後端部６０２は、全長が約５０ｍｍであって、ヤモリ又はトカゲ等の小動物等の尾を模した形状を有している。さらに詳しく説明すると、後端部６０２は平板状をなしており、平面視において略Ｊ字状をなしている。この後端部６０２は、先端に向かうにしたがって徐々に幅が小さくなっている。また、ルアー６は、平面視において尾の根元部分が細くなっている。即ち、後端部６０２は、胴体部６０１と連結される基端部において細くなっている。
【００７３】
後端部６０２の上側の平面６０２ａの尾の先端部分には、当該平面６０２ａの約２０％の面積の反射シートＲ６が貼り付けられている。反射シートＲ６は、平面６０２ａの尾の先端部分の形状と類似した形状であり、全長が約２０ｍｍの湾曲した棒状をなしている。即ち、反射シートＲ６は、平面６０２ａの尾の先端部分よりも若干小さく、ルアー６の全長に対して約１３％の長さを有している。この反射シートＲ６には、表面に光沢を有し、高い反射率を有するアルミ箔等のシート材料が用いられている。ここで、平面６０２ａの反射シートＲ６が貼り付けられた領域は、光を反射する光反射領域６０２ｂとされる。他方、後端部６０２の光反射領域６０２ｂ以外の部分には、反射シート等の光反射部材は設けられておらず、軟質材料がそのまま露出している。このため、後端部６０２の光反射領域６０２ｂ以外の部分は、光反射領域６０２ｂと比較して、反射率が大幅に低くなっている。
【００７４】
脚部６０３〜６０６は、全長が約２０ｍｍの平板であって、ヤモリ又はトカゲ等の小動物の脚を模した形状を有している。具体的には、脚部６０３〜６０６は、平面視において釣り針状の平板であって、上述したように胴体部６０１の側面と連結されている。ここで、脚部６０３，６０４，６０５，６０６の上側の平面６０３ａ，６０４ａ，６０５ａ，６０６ａの先端部分には、平面６０３ａ〜６０６ａそれぞれの約２０％の面積の反射シートＲ６１，Ｒ６２，Ｒ６３，Ｒ６４が貼り付けられている。反射シートＲ６１〜Ｒ６４は、平面６０３ａ〜６０６ａの先端部分の形状と類似した形状であり、全長が約１０ｍｍの湾曲した棒状をなしている。即ち、反射シートＲ６１〜Ｒ６４は、平面６０３ａ〜６０６ａの先端部分よりも若干小さく、ルアー６の全長に対して約７％の長さを有している。また、反射シートＲ６１〜Ｒ６４には、表面に光沢を有し、高い反射率を有するアルミ箔等のシート材料が用いられている。このような反射シートＲ６１〜Ｒ６４が貼り付けられた領域は、光を反射する光反射領域６０３ｂ，６０４ｂ，６０５ｂ，６０６ｂとされる。他方、脚部６０３〜６０６の光反射領域６０３ｂ〜６０６ｂ以外の部分には、反射シート等の光反射部材は設けられておらず、軟質材料がそのまま露出している。このため、脚部６０３〜６０６の光反射領域６０３ｂ〜６０６ｂ以外の部分は、光反射領域６０３ｂ〜６０６ｂと比較して、反射率が大幅に低くなっている。
【００７５】
上述のように、胴体部６０１は前後方向中央部分から後方に向かうにしたがって断面積が小さくなっている。また、後端部６０２は、基端部分において胴体部６０１の後側部分と滑らかに連結されている。即ち、ルアー６は、胴体部６０１の最も細い部分において胴体部６０１と後端部６０２とが連結されている。また、また、後端部６０２は、胴体部６０１に比べて非常に薄い板状であり、胴体部６０１に比べて小さな力でも変形可能である。同様に、脚部６０３〜６０６も、胴体部６０１に比べて非常に薄い板状であり、胴体部６０１に比べて小さな力でも変形可能である。したがって、ルアー６が水中で移動すると、後端部６０２及び脚部６０３〜６０６は水流の影響を受け、様々な方向に振れながら動く。これにより、光反射領域６０２ｂ，６０３ｂ，６０４ｂ，６０５ｂ，６０６ｂが様々な方向を向くこととなり、様々な方向に対して光が反射される。その結果、ルアー６は、広い範囲の魚に対して光によるアピールをすることができ、集魚効果を高めることができる。
【００７６】
また、本実施の形態では、光反射領域６０２ｂは、後端部６０２の平面６０２ａの一部にのみ設けられている。このため、光反射領域６０２ｂが魚の方向に向いた場合は、光反射領域６０２ｂによって反射された光が魚へと照射され、当該魚に後端部６０２が光って見える。他方、光反射領域６０２ｂが魚とは別の方向を向いている場合は、後端部６０２の光反射領域６０２ｂ以外の部分が魚の方に向くことになり、当該魚には後端部６０２がほとんど光っていないように見える。ここで、後端部６０２は、上述のように、ルアー６の水中での移動に伴って様々な方向にランダムに振れながら動く。このため、魚には、後端部６０２が不規則に明滅して見える。このような後端部６０２の不規則な明滅が魚を刺激するため、集魚効果を高めることができる。脚部６０３〜６０６に設けられた光反射領域６０３ｂ〜６０６ｂについても同様である。
【００７７】
また、本実施の形態では、後端部６０２及び脚部６０３〜６０６に個別に光反射領域６０２ｂ〜６０６ｂが設けられており、後端部６０２及び脚部６０３〜６０６は個別に自由に動くことができる。このため、上述のような明滅が、後端部６０２及び脚部６０３〜６０６のそれぞれにおいて個別に生じる。したがって、魚に対してより強くアピールすることができ、集魚効果を高めることができる。
【００７８】
また、本実施の形態では、実施の形態１のルアー１と同様に、胴体部６０１、後端部６０２、及び脚部６０３〜６０６が一体成形されている。このため、複数の部品を結合するような複雑な製造工程を必要とせず、容易にルアー６を製造することができる。また、ルアー６は、胴体部６０１、後端部６０２、及び脚部６０３〜６０６が一体成形されているので、胴体部６０１と後端部６０２及び脚部６０３〜６０６とが分離することによるルアー６の破損が抑制される。さらに、反射シートＲ６，Ｒ６１〜Ｒ６４の剥離等が生じたとしても、平面６０２ａ〜６０６ａに反射シートＲ６，Ｒ６１〜Ｒ６４を貼り付けることで、容易に修復することができる。
【００７９】
また、実施の形態２と同様に、ルアー５のリトリーブが中断された場合に、ルアー５は自重により後端部６０２を上側にして沈降する。このとき、後端部６０２が波打つように動くことにより、平面６０２ａが上方を向くと、光反射領域６０２ｂが太陽又は常夜灯の光を受けやすくなる。また、脚部６０３〜６０６も波打つように動くと、平面６０３ａ〜６０６ａが断続的に上方を向くことになり、その都度光反射領域６０３ｂ〜６０６ｂが太陽又は常夜灯の光を受ける。そのため、魚の捕食の可能性が高い状態のときに、ルアー６の後方、即ち上方から追ってきた魚に対して光の照射及び非照射を繰り返すことで効率的に魚にアピールすることができ、より一層集魚効果を高めることができる。
【００８０】
（実施の形態７）
実施の形態７に係るルアーは、上記の各実施の形態と同様にゴム弾性を有する合成樹脂等の軟質材料を主材とするソフトルアーである。本実施の形態に係るルアーは、ツインテール系と呼ばれる種類のルアーである。図２７乃至３０に、本実施の形態に係るルアー７の構成を示す。図２７はルアー７の構成を示す側面図、図２８はルアー７の構成を示す平面図、図２９はルアー７の構成を示す底面図、図３０はルアー７の構成を示す斜視図である。ルアー７は、その全長が約７５ｍｍであり、胴体部７０１と、胴体部７０１に連結された２つの後端部７０２，７０３とを有している。
【００８１】
胴体部７０１は、全長が約５０ｍｍであって、ミミズ又はゴカイ等の環形動物を模した形状を有している。即ち、胴体部７０１には、複数の節が前後に並べて設けられている。かかる胴体部７０１の前後方向と直交する断面は円形をなしている。また、胴体部７０１は、その前端部分及び後端部分以外の部分では直径が略同一であるが、後端部分では後方に向かうにしたがって直径が小さくなっている。
【００８２】
後端部７０２，７０３それぞれは、平面視において渦巻状をなす平板である。進行方向に向かって右側の後端部７０２は、右から左へと湾曲する渦巻状をなし、進行方向に向かって左側の後端部７０３は、左から右へと湾曲する渦巻状をなしている。かかる後端部７０２，７０３は、前後方向の長さが約２５ｍｍ、左右方向の長さが約２０ｍｍである。また、後端部７０２，７０３は、渦の最も外側の部分において胴体部７０１と連結されており、渦の中心に向かうにしたがって幅が小さくなっている。
【００８３】
後端部７０２，７０３の上側の平面７０２ａ，７０３ａの渦の先端部分には、各平面７０２ａ，７０３ａの約３０％の面積の反射シートＲ７１，Ｒ７２がそれぞれ貼り付けられている。反射シートＲ７１，Ｒ７２は、平面７０２ａ，７０３ａの渦の先端部分の形状と略同一の形状を有し、前記先端部分よりも一回り小さい大きさ（全長約１０ｍｍ）である。かかる反射シートＲ７１，Ｒ７２には、表面に光沢を有し、高い反射率を有するアルミ箔等のシート材料が用いられている。ここで、平面７０２ａ，７０３ａの反射シートＲ７１，Ｒ７２が貼り付けられた領域は、光を反射する光反射領域７０２ｂ，７０３ｂとされる。他方、後端部７０２，７０３の光反射領域７０２ｂ，７０３ｂ以外の部分には、反射シート等の光反射部材は設けられておらず、軟質材料がそのまま露出している。このため、後端部７０２，７０３の光反射領域７０２ｂ，７０３ｂ以外の部分は、光反射領域７０２ｂ，７０３ｂと比較して、反射率が大幅に低くなっている。
【００８４】
上述のように、胴体部７０１は後方に向かうにしたがって断面積が小さくなっている。また、後端部７０２，７０３は、渦の外側の基端部分において胴体部７０１の後側部分と滑らかに連結されている。即ち、ルアー７は、胴体部７０１の最も細い部分において胴体部７０１と後端部７０２，７０３とが連結されている。また、後端部７０２，７０３は、胴体部７０１に比べて非常に薄い板状であり、胴体部７０１に比べて小さな力でも変形可能である。したがって、ルアー７が水中で移動すると、後端部７０２，７０３は水流の影響を受け、様々な方向に振れながら動く。これにより、光反射領域７０２ｂ，７０３ｂが様々な方向を向くこととなり、様々な方向に対して光が反射される。その結果、ルアー７は、広い範囲の魚に対して光によるアピールをすることができ、集魚効果を高めることができる。
【００８５】
また、本実施の形態では、光反射領域７０２ｂ，７０３ｂは、後端部７０２，７０３の平面７０２ａ，７０３ａそれぞれの一部にのみ設けられている。このため、光反射領域７０２ｂ，７０３ｂが魚の方向に向いた場合は、光反射領域７０２ｂ，７０３ｂによって反射された光が魚へと照射され、当該魚に後端部７０２，７０３が光って見える。他方、光反射領域７０２ｂ，７０３ｂが魚とは別の方向を向いている場合は、後端部７０２，７０３の光反射領域７０２ｂ，７０３ｂ以外の部分が魚の方に向くことになり、当該魚には後端部７０２，７０３がほとんど光っていないように見える。ここで、後端部７０２，７０３は、上述のように、ルアー７の水中での移動に伴って様々な方向にランダムに振れながら動く。このため、魚には、後端部７０２，７０３が不規則に明滅して見える。このような後端部７０２，７０３の不規則な明滅が魚を刺激し、集魚効果を高めることができる。
【００８６】
また、本実施の形態では、ルアー７は、後端部７０２，７０３に個別に光反射領域７０２ｂ，７０３ｂが設けられており、後端部７０２，７０３は個別に自由に動くことができる。このため、上述のような明滅が、後端部７０２，７０３のそれぞれにおいて個別に生じる。したがって、ルアー７は、魚に対してより強くアピールすることができ、集魚効果を高めることができる。
【００８７】
また、本実施の形態では、実施の形態１のルアー１と同様に、胴体部７０１と後端部７０２，７０３とが一体成形されている。このため、複数の部品を結合するような複雑な製造工程を必要とせず、容易にルアー７を製造することができる。また、ルアー７は、胴体部７０１と後端部７０２，７０３とが一体成形されているので、胴体部７０１と後端部７０２，７０３とが分離することによるルアー７の破損が抑制される。さらに、反射シートＲ７１，Ｒ７２の剥離等が生じたとしても、平面７０２ａ，７０３ａに反射シートＲ７１，Ｒ７２を貼り付けることで、容易に修復することができる。
【００８８】
また、実施の形態２と同様に、ルアー７のリトリーブが中断された場合に、ルアー７は自重により後端部７０２，７０３を上側にして沈降する。このとき、後端部７０２，７０３が波打つように動くことにより、平面７０２ａ，７０３ａが上方を向くと、光反射領域７０２ｂ，７０３ｂが太陽又は常夜灯の光を受けやすくなる。そのため、魚の捕食の可能性が高い状態のときに、ルアー７の後方、即ち上方から追ってきた魚に対して光の照射及び非照射を繰り返すことで効率的に魚にアピールすることができ、より一層集魚効果を高めることができる。
【００８９】
（実施の形態８）
実施の形態８に係るルアーは、上記の各実施の形態と同様にゴム弾性を有する合成樹脂等の軟質材料を主材とするソフトルアーである。本実施の形態に係るルアーは、バジングフロッグテール系と呼ばれる種類のルアーである。図３１乃至３５に、本実施の形態に係るルアー８の構成を示す。図３１はルアー８の構成を示す側面図、図３２はルアー８の構成を示す平面図、図３３はルアー８の構成を示す底面図、図３４はルアー８の構成を示す背面図、図３５はルアー８の構成を示す斜視図である。ルアー８は、その全長が約１１５ｍｍであり、カエルを模した形状を有するルアーであり、胴体部８０１と、胴体部８０１に連結された後端部８０２，８０３とを有している。
【００９０】
胴体部８０１は、全長が約８０ｍｍであって、カエルの頭部及び腹部を模した形状を有している。また、胴体部８０１は、前後方向と直交する断面が略楕円形状をなしており、前端部分においては前方に向かうにしたがって断面積が小さくなっており、後端部分においては後方に向かうにしたがって断面積が小さくなっている。
【００９１】
後端部８０２，８０３は、全長が約３５ｍｍであって、カエルの後脚を模した形状を有している。さらに詳しく説明すると、後端部８０２，８０３は、脚の末端部（足底部）８０２ａ，８０３ａと、末端部８０２ａ，８０３ａを胴体部８０１と連結する連結部８０２ｂ，８０３ｂとを具備している。連結部８０２ｂ，８０３ｂは、胴体部８０１に比べて薄い平板状をなしている。また、末端部８０２ａ，８０３ａは、上下方向に立設された略楕円板状をなしており、連結部８０２ｂ，８０３ｂの先端に繋がっている。末端部８０２ａは、左斜め後方を向く平面８０２ｃを有し、末端部８０３ａは、右斜め後方を向く平面８０３ｃを有している。かかる平面８０２ｃ，８０３ｃは、長軸が横方向に延びる楕円形状をなしており、長軸方向の長さが約２０ｍｍ、短軸方向（上下方向）の長さが約１０ｍｍの大きさを有している。また、平面８０２ｃ，８０３ｃには、当該平面それぞれの約８５％の面積を有する反射シートＲ８１，Ｒ８２が貼り付けられている。反射シートＲ８１，Ｒ８２は、平面８０２ｃ，８０３ｃの形状と略同一の形状であって、長軸が約１９ｍｍ、短軸が約９ｍｍの大きさを有している。また、反射シートＲ８１，Ｒ８２それぞれは、各平面８０２ｃ，８０３ｃの略中央に貼り付けられる。かかる反射シートＲ８１，Ｒ８２には、表面に光沢を有し、高い反射率を有するアルミ箔等のシート材料が用いられている。ここで、平面８０２ｃ，８０３ｃの反射シートＲ８１，Ｒ８２が貼り付けられた領域は、光を反射する光反射領域８０２ｄ，８０３ｄとされる。他方、後端部８０２，８０３の光反射領域８０２ｄ，８０３ｄ以外の部分には、反射シート等の光反射部材は設けられておらず、軟質材料がそのまま露出している。このため、後端部８０２，８０３の光反射領域８０２ｄ，８０３ｄ以外の部分は、光反射領域８０２ｄ，８０３ｄと比較して、反射率が大幅に低くなっている。
【００９２】
上述のように、胴体部８０１は後方に向かうにしたがって断面積が小さくなっており、後端部８０２，８０３の連結部８０２ｂ，８０３ｂは薄い平板状である。また、後端部８０２，８０３は、当該連結部８０２ｂ，８０３ｂにおいて胴体部８０１の後側と滑らかに連結されている。即ち、ルアー８は、胴体部８０１の最も細い部分において胴体部８０１と後端部８０２，８０３とが連結されている。また、連結部８０２ｂ，８０３ｂは、胴体部８０１に比べて非常に薄い板状であり、胴体部８０１に比べて小さな力でも変形可能である。したがって、ルアー８が水中で移動すると、後端部８０２，８０３は水流の影響を受け、連結部８０２ｂ，８０３ｂが上下左右に屈曲して様々な方向に振れながら動く。これにより、光反射領域８０２ｄ，８０３ｄが様々な方向を向くこととなり、様々な方向に対して光が反射される。その結果、ルアー８は、広い範囲の魚に対して光によるアピールをすることができ、集魚効果を高めることができる。
【００９３】
また、本実施の形態では、光反射領域８０２ｄ，８０３ｄは、後端部８０２，８０３の平面８０２ｃ，８０３ｃにのみ設けられている。このため、光反射領域８０２ｄ，８０３ｄが魚の方向に向いた場合は、光反射領域８０２ｄ，８０３ｄによって反射された光が魚へと照射され、当該魚に後端部８０２，８０３が光って見える。他方、光反射領域８０２ｄ，８０３ｄが魚とは別の方向を向いている場合は、後端部８０２，８０３の光反射領域８０２ｄ，８０３ｄ以外の部分が魚の方に向くことになり、当該魚には後端部８０２，８０３がほとんど光っていないように見える。ここで、後端部８０２，８０３は、上述のように、ルアー８の水中での移動に伴って様々な方向にランダムに振れながら動く。このため、魚には、後端部８０２，８０３が不規則に明滅して見える。このような後端部８０２，８０３の不規則な明滅が魚を刺激し、集魚効果を高めることができる。
【００９４】
また、本実施の形態では、ルアー８は、後端部８０２，８０３に個別に光反射領域８０２ｄ，７０３ｄが設けられており、後端部８０２，８０３は個別に自由に動くことができる。このため、上述のような明滅が、後端部８０２，８０３のそれぞれにおいて個別に生じる。したがって、ルアー８は、魚に対してより強くアピールすることができ、集魚効果を高めることができる。
【００９５】
また、本実施の形態では、実施の形態１のルアー１と同様に、胴体部８０１と後端部８０２，８０３とが一体成形されている。このため、複数の部品を結合するような複雑な製造工程を必要とせず、容易にルアー８を製造することができる。また、ルアー８は、胴体部８０１と後端部８０２，８０３とが一体成形されているので、胴体部８０１と後端部８０２，８０３とが分離することによるルアー８の破損が抑制される。さらに、反射シートＲ８１，Ｒ８２の剥離等が生じたとしても、平面８０２ｃ，８０３ｃに反射シートＲ８１，Ｒ８２を貼り付けることで、容易に修復することができる。
【００９６】
また、実施の形態１と同様に、ルアー８のリトリーブが中断された場合に、ルアー８は自重により後端部８０２，８０３を上側にして沈降する。したがって、平面８０２ｃ，８０３ｃが上側を向くことになり、光反射領域８０２ｄ，８０３ｄが太陽又は常夜灯の光を受けやすくなる。そのため、魚の捕食の可能性が高い状態のときに、ルアー８の後方、即ち上方から追ってきた魚に対して光の照射及び非照射を繰り返すことで効率的に魚にアピールすることができ、より一層集魚効果を高めることができる。
【００９７】
（その他の実施の形態）
なお、上記の各実施の形態においては、反射シートを後端部の表面に貼り付ける構成について述べたが、これに限定されるものではない。反射シートを端部に埋め込む等の他の方法により後端部に光反射領域を設ける構成としてもよい。図３６は、反射シートを後端部に埋設することにより光反射領域を設けたルアーの構成を示す斜視図である。当該ルアー９は、実施の形態１に係るルアー１と略同様の形状のルアーであり、透光性を有する軟質材料により胴体部９０１及び後端部９０２が構成されている。かかるルアー９の後端部９０２の斜面９０２ｂの近傍には、反射シートＲ９が埋設されている。さらに具体的に説明すると、反射シートＲ９は、後端部９０２の斜面９０２ｂと平行となるように、斜面９０２ｂから約０．５ｍｍの深さに埋め込まれている。このように構成されたルアー９では、斜面９０２ｂの反射シートＲ９と最も距離が近い領域が光反射領域９０２ｃとされる。この光反射領域９０２ｃに光が入射すると、後端部９０２の０．５ｍｍの厚さの部分を光が透過して反射シートＲ９に到達し、反射シートＲ９から反射された光が後端部９０２の光反射領域９０２ｃから出射される。
【００９８】
また、上記の各実施の形態においては、光反射領域以外の部分には、光を反射する領域を設けない構成について述べたが、これに限定されるものではない。胴体部と端部とが一体成形されたルアーの端部に光反射領域が設けられており、端部の光反射領域以外の部分が光反射領域における光の反射率よりも低い反射率を有していれば、他の部分に光を反射する領域が設けられていてもよい。例えば、光反射領域よりも大幅に小さいアルミシート材の小片が多数練り込まれた、透光性を有する軟質合成樹脂により胴体部と端部とを一体成形し、端部に光反射領域を設ける構成とすることもできる。
【００９９】
また、光反射領域の大きさ及び形状を調節可能な構成とすることもできる。例えば、大きさ、形状、色、光の反射率等が異なる複数の反射シートを添付してソフトルアーを販売し、ユーザがソフトルアーを使用する際に、ユーザが好みの反射シートをソフトルアーの後端部に貼り付けて使用する構成としてもよい。かかる構成において、ソフトルアーを使用した結果反射シートが外れてしまった場合に、ユーザが、外れた反射シートと大きさ、形状、色が同一の反射シートをソフトルアーの後端部に貼り付けて、同一のソフトルアーを再生することもできるし、外れた反射シートと大きさ、形状、色が異なる反射シートをソフトルアーの後端部に貼り付けて、以前とは異なる構成のソフトルアーとして再生することもできる。
【０１００】
また、反射シートをソフトルアーの後端部に着脱可能な構成としてもよい。例えば、反射シートの裏面に接着剤を塗布しておき、当該接着剤を後端部から分離可能な程度の接着強度のものとすることができる。また他の例では、後端部に反射シート挿入用の切り込みを設け、この切り込みに反射シートを挿入することで、光反射領域を形成させる構成とすることもできる。このように反射シートを後端部に着脱可能とすることにより、ユーザが反射シートを自由に取り替えることが可能となる。即ち、大きさ、形状、色、光の反射率等が異なる複数の反射シートを添付してソフトルアーを販売し、ユーザがソフトルアーを使用する際に、ユーザが好みの反射シートをソフトルアーの後端部の切り込みに装着して使用することができる。この場合、ユーザはその日、時刻、場所、気温、天候等に応じて、自由に反射シートを取り替えることが可能となる。
【０１０１】
また、上記の各実施の形態においては、後端部に反射シートを取り付けることで、光反射領域を形成する構成について述べたが、これに限定されるものではない。ソフトルアーの後端部に光反射性を有する塗料を塗布して光反射領域を形成してもよい。
【０１０２】
また、上記の各実施の形態においては、光反射領域を後端部に設け、この光反射領域において光を反射することにより、光を照射する構成について述べたが、これに限定されるものではない。ルアーの後端部に発光する発光領域を設け、この発光領域から光を照射する構成としてもよい。例えば、蛍光又は燐光を発する発光シート部材を後端部に貼付し、この発光シート部材を取り付けた領域を発光領域としてもよいし、蛍光塗料又は燐光塗料を後端部の一部に塗布し、かかる塗料を塗布した領域を発光領域としてもよい。
【産業上の利用可能性】
【０１０３】
本発明のソフトルアー及びソフトルアーキットは、魚釣り用のソフトルアー及びソフトルアーキットとして有用である。
【符号の説明】
【０１０４】
１    ルアー
１０１    胴体部
１０２    後端部
１０２ａ    平面
１０２ｂ    斜面
１０２ｃ    光反射領域
Ｒ１    反射シート
【要約】
【課題】  高い集魚効果が得られるソフトルアー及びソフトルアーキットを提供する。
【解決手段】
ルアー１は、可撓性を有するソフトルアーであって、後方に向かうにしたがって細くなった形状を有する胴体部１０１と、前方に向かうにしたがって細くなった形状を有する後端部１０２とを備える。後端部１０２は、その後側に後ろ斜め上方を向く斜面１０２ｂを有する。また、後端部１０２の斜面１０２ｂには、光を反射する反射シートＲが貼付された光反射領域１０２ｃが設けられている。
【選択図】図６【図１】
0005131944.tif 000002
【図２】
0005131944.tif 000003
【図３】
0005131944.tif 000004
【図４】
0005131944.tif 000005
【図５】
0005131944.tif 000006
【図６】
0005131944.tif 000007
【図７】
0005131944.tif 000008
【図８】
0005131944.tif 000009
【図９】
0005131944.tif 000010
【図１０】
0005131944.tif 000011
【図１１】
0005131944.tif 000012
【図１２】
0005131944.tif 000013
【図１３】
0005131944.tif 000014
【図１４】
0005131944.tif 000015
【図１５】
0005131944.tif 000016
【図１６】
0005131944.tif 000017
【図１７】
0005131944.tif 000018
【図１８】
0005131944.tif 000019
【図１９】
0005131944.tif 000020
【図２０】
0005131944.tif 000021
【図２１】
0005131944.tif 000022
【図２２】
0005131944.tif 000023
【図２３】
0005131944.tif 000024
【図２４】
0005131944.tif 000025
【図２５】
0005131944.tif 000026
【図２６】
0005131944.tif 000027
【図２７】
0005131944.tif 000028
【図２８】
0005131944.tif 000029
【図２９】
0005131944.tif 000030
【図３０】
0005131944.tif 000031
【図３１】
0005131944.tif 000032
【図３２】
0005131944.tif 000033
【図３３】
0005131944.tif 000034
【図３４】
0005131944.tif 000035
【図３５】
0005131944.tif 000036
【図３６】
0005131944.tif 000037